(57)【要約】【課題】複数の情報コードそれぞれと関連づけられた関連情報の内、所望の関連情報を視認し易くできる端末を提供する。【解決手段】端末１０は、表示部１３と、複数の情報コードが含まれる画像を取得する画像取得部１５と、画像取得部１５により取得された複数の情報コードが含まれる画像と共に、複数の情報コードそれぞれと関連づけられた関連情報を同じ強調度で表示部１３に表示させた後、優先度の高い関連情報を、優先度の低い関連情報よりも、強調して表示部１３に表示させる処理部１１と、を備える。【選択図】図１
2018116351.tif 000002
【特許請求の範囲】
【請求項１】
表示部と、
複数の情報コードが含まれる画像を取得する画像取得部と、
前記画像取得部により取得された複数の前記情報コードが含まれる画像と共に、前記複数の情報コードそれぞれと関連づけられた関連情報を同じ強調度で表示部に表示させた後、優先度の高い前記関連情報を、優先度の低い前記関連情報よりも、強調して前記表示部に表示させる処理部と、
を備える端末。
【請求項２】
前記処理部は、前記関連情報の優先度を決定する複数の優先度決定方法の内から、ユーザにより選択された一の優先度決定方法を用いて、前記関連情報の優先度を決定する請求項１に記載の端末。
【請求項３】
前記複数の優先度決定方法は、
ユーザにより選択された一の前記関連情報の優先度を、他の前記関連情報の優先度よりも高く決定する方法、及び、
前記表示部に表示されたしるしと重なる一の前記関連情報の優先度を、他の前記関連情報の優先度よりも高く決定する方法、及び、
前記関連情報と関連付けられている優先度情報に基づいて、前記関連情報の優先度を決定する方法、及び、
前記表示部の中央に表示されている一の前記関連情報の優先度を、他の前記関連情報の優先度よりも高く決定する方法の内の少なくとも２つの方法を含む請求項２に記載の端末。
【請求項４】
前記処理部は、
ユーザにより選択された一の前記関連情報の優先度を、他の前記関連情報の優先度よりも高く決定する方法、及び、
前記表示部に表示されたしるしと重なる一の前記関連情報の優先度を、他の前記関連情報の優先度よりも高く決定する方法、及び、
前記関連情報と関連付けられている優先度情報に基づいて、前記関連情報の優先度を決定する方法、及び、
前記表示部の中央に表示されている一の前記関連情報の優先度を、他の前記関連情報の優先度よりも高く決定する方法の内の何れか一の方法を用いて、前記関連情報の優先度を決定する、請求項１に記載の端末。
【請求項５】
前記処理部は、優先度の高い前記関連情報を、優先度の低い前記関連情報よりも、強調して前記表示部に表示させる複数の強調表示方法の内から、ユーザにより選択された一の強調表示方法を用いて、前記関連情報を前記表示部に表示させる、請求項１〜４の何れか一項に記載の端末。
【請求項６】
複数の情報コードが含まれる画像と共に、前記複数の情報コードそれぞれと関連づけられた関連情報を同じ強調度で表示部に表示させ、
優先度の高い前記関連情報を、優先度の低い前記関連情報よりも、強調して前記表示部に表示させる、ことを備える方法。
【請求項７】
複数の情報コードが含まれる画像と共に、前記複数の情報コードそれぞれと関連づけられた関連情報を同じ強調度で表示部に表示させ、
優先度の高い前記関連情報を、優先度の低い前記関連情報よりも、強調して前記表示部に表示させる、ことをコンピュータに実行させるプログラム。
【発明の詳細な説明】
【技術分野】
【０００１】
本発明は、情報コードに関連づけられた情報を強調して表示する端末、方法及びプログラムに関する。
【背景技術】
【０００２】
従来、画像として読取可能な一次元コード又は二次元コード等の情報コードを撮影し、撮影した画像中の情報コードと関連付けられた関連情報を取得し、この関連情報を撮影した画像に重畳して表示することが提案されている。
【０００３】
例えば、特許文献１は、商品情報と関連づけられた複数のバーコードを撮影して、各バーコードと関連付けられた商品情報を、関連情報と関連づけられたバーコードに重畳して一画面内に表示し、ユーザが所望の商品を選択可能にすることを提案している。
【先行技術文献】
【特許文献】
【０００４】
【特許文献１】特開２０１０−１９１７０５号公報
【発明の概要】
【発明が解決しようとする課題】
【０００５】
しかしながら、撮影された画像内に複数のバーコードが表示されている場合、各バーコードと関連付けられた関連情報が重畳して表示されると、所望の関連情報がどれであるのかを視認し難い場合があった。特に、高機能携帯端末のように、表示部が比較的小さい場合には、このような問題があった。
【０００６】
また、各バーコード間の距離が短い状態で撮影された場合にも、各バーコードと関連付けられた関連情報が、同様の間隔で配置されて表示されるので、所望の関連情報を見つけ難い場合があった。
【０００７】
そこで、本明細書では、複数の情報コードそれぞれと関連づけられた関連情報の内、所望の関連情報を視認し易くする端末、方法及びプログラムを提供することを課題とする。
【課題を解決するための手段】
【０００８】
本明細書に開示する端末によれば、表示部と、複数の情報コードが含まれる画像を取得する画像取得部と、上記画像取得部により取得された複数の上記情報コードが含まれる画像と共に、上記複数の情報コードそれぞれと関連づけられた関連情報を同じ強調度で表示部に表示させた後、優先度の高い上記関連情報を、優先度の低い上記関連情報よりも、強調して上記表示部に表示させる処理部と、を備える。
【０００９】
また、本明細書に開示する方法によれば、複数の情報コードが含まれる画像と共に、上記複数の情報コードそれぞれと関連づけられた関連情報を同じ強調度で表示部に表示させ、優先度の高い上記関連情報を、優先度の低い上記関連情報よりも、強調して上記表示部に表示させる、ことを備える。
【００１０】
更に、本明細書に開示するプログラムによれば、複数の情報コードが含まれる画像と共に、上記複数の情報コードそれぞれと関連づけられた関連情報を同じ強調度で表示部に表示させ、優先度の高い上記関連情報を、優先度の低い上記関連情報よりも、強調して上記表示部に表示させる、ことをコンピュータに実行させる。
【発明の効果】
【００１１】
上述した本明細書に開示する端末によれば、複数の情報コードそれぞれと関連づけられた関連情報の内、所望の関連情報を視認し易くできる。
【００１２】
また、上述した本明細書に開示する方法によれば、複数の情報コードそれぞれと関連づけられた関連情報の内、所望の関連情報を視認し易くできる。
【００１３】
更に、上述した本明細書に開示するプログラムによれば、複数の情報コードそれぞれと関連づけられた関連情報の内、所望の関連情報を視認し易くできる。
【図面の簡単な説明】
【００１４】
【図１】本明細書に開示する端末の第１実施形態を示す図である。
【図２】複数のファイルを示す図である。
【図３】関連情報表を示す図である。
【図４】第１実施形態のシステムの動作を説明するフローチャートである。
【図５】（Ａ）は、ユーザに関連情報が選択される前の表示部を示す図であり、（Ｂ）は、ユーザに関連情報が選択された後の表示部を示す図である。
【図６】選択された関連情報が強調表示される他の例を示す図（その１）である。
【図７】選択された関連情報が強調表示される他の例を示す図（その２）である。
【図８】選択された関連情報が強調表示される他の例を示す図（その３）である。
【図９】第１実施形態の変形例１を説明する図である。
【図１０】第１実施形態の変形例２を説明する図である。
【図１１】（Ａ）は、本明細書に開示する端末の第２実施形態において、表示部に表示されたマーカと関連情報とが重なる前の表示部を示す図であり、（Ｂ）は、表示部に表示されたマーカと関連情報とが重なった後の表示部を示す図である。
【図１２】本明細書に開示する端末の第３実施形態を備えるシステムを示す図である。
【図１３】関連情報表を示す図である。
【図１４】第３実施形態を備えるシステムの動作を説明する図（その１）である。
【図１５】第３実施形態を備えるシステムの動作を説明する図（その２）である。
【図１６】第３実施形態を備えるシステムの動作を説明する図（その３）である。
【図１７】第３実施形態を備えるシステムの動作を説明する図（その４）である。
【図１８】第３実施形態を備えるシステムの動作を説明する図（その５）である。
【図１９】関連情報表を示す図である。
【図２０】優先度の高い関連情報が、優先度の低い関連情報よりも強調して表示部に表示される様子を説明する図である。
【図２１】本明細書に開示する端末の第４実施形態において、優先度の高い関連情報が、優先度の低い関連情報よりも強調して表示部に表示される様子を説明する図ある。
【発明を実施するための形態】
【００１５】
以下、本明細書で開示する端末の好ましい第１実施形態を、図を参照して説明する。但し、本発明の技術範囲はそれらの実施形態に限定されず、特許請求の範囲に記載された発明とその均等物に及ぶものである。
【００１６】
図１は、本明細書に開示する端末の第１実施形態を示す図である。
【００１７】
本実施形態の端末１０は、図２に示す複数のファイル５０を管理するために用いられる。各ファイル５０の背表紙には、情報コードとしての二次元コード５１が貼付又は印刷等されて表示される。二次元コード５１は、貼付又は印刷等されているファイルを識別する識別情報を有する。また、各ファイル５０の背表紙には、ファイルの保管場所である棚の名称も表示される。
【００１８】
二次元コード５１は、複数の二次元コード５１が含まれる一つの画像を取得して、各二次元コードを解析する観点から、異なる複数の位置検出パターンを有していることが、一の二次元コードに含まれる位置検出パターンの組み合わせを決定し、各二次元コードを解析して識別情報を迅速に読み取る観点から好ましい。
【００１９】
端末１０は、処理部１１と、記憶部１２と、表示部１３と、操作部１４と、画像取得部１５と、通信部１６を備える。
【００２０】
処理部１１は、一つまたは複数のプロセッサと、周辺回路とを有する。処理部１１は、記憶部１２に予め記憶されている所定のプログラムに従い、端末１０の各ハードウェア構成要素の制御及び各種処理を行い、処理中に生じるデータを一時的に保存するために記憶部１２を利用する。
【００２１】
記憶部１２は、ランダムアクセスメモリ（ＲＡＭ）又はリードオンリーメモリ（ＲＯＭ）等の半導体メモリ又は磁気ディスク又はフラッシュメモリを有していても良い。記憶部１２は、所定のプログラムを記憶する記憶媒体を読み出し可能なドライブを有していても良い。
【００２２】
記憶部１２は、二次元コード５１が有する識別情報と関連情報とを関連づけて登録される関連情報表３００（図３参照）を記憶していてもよい。各関連情報は、各識別情報を介して、複数の二次元コードそれぞれと関連づけられる。
【００２３】
図３は、関連情報表を示す図である。
【００２４】
関連情報表３００は、二次元コード５１の識別情報を登録する識別情報欄３０１と、識別情報と関連づけられた関連情報を登録する関連情報欄３０２を有する。識別情報欄３０１には、二次元コード５１を識別する識別情報として、Ａ、Ｂ、Ｃ、Ｄ、Ｅ、Ｆ・・・が登録されている。識別情報Ａは、識別情報Ａにより識別される二次元コードが表示されるファイルの名称（ファイルＡ）、ファイルの年度（２０１７年度）、ファイルが保管される棚の名称（棚Ａ）等の情報を有する関連情報と関連づけられている。上述した二次元コード５１の識別情報Ａ及び関連情報の説明は、他の二次元コード５１の識別情報Ｂ〜Ｆ及び関連情報に対しても適用される。
【００２５】
ここで、関連情報は、事前に、識別情報と関連づけられて関連情報表３００に登録されていてもよい。一方、二次元コード５１が、識別情報と共に、関連情報も有している場合には、二次元コード５１を解析して読み取られた情報が、関連情報として関連情報表３００に登録されてもよい。また、二次元コード５１が、識別情報と共に、関連情報も有している場合には、端末１０は、関連情報表３００を用いないで、後述する各処理を行ってもよい。
【００２６】
表示部１３は、処理部１１に制御されて、各種の情報を表示可能である。表示部１３としては、例えば、液晶ディスプレイを用いることができる。
【００２７】
操作部１４は、端末１０のユーザにより操作されて、ファイル管理の処理において、各種情報を入力可能である。操作部１４としては、例えば、表示部１３上に配置された透明名なタッチパネルを用いることができる。
【００２８】
画像取得部１５は、複数のファイル５０の背表紙に表示された二次元コード５１が写された画像を取得する。
【００２９】
通信部１６は、無線又は有線接続により、ネットワークと接続して、外部のサーバ等と通信可能である。通信部１６は、送受信を行う通信回路及びアンテナを有し得る。
【００３０】
端末１０として、例えば、高機能携帯端末、タブレット型端末、ラップトップコンピュータ等を用いることができる。
【００３１】
処理部１１は、画像取得部１５により取得された複数の二次元コード５１が含まれる画像と共に、複数の二次元コード５１それぞれと関連づけられた関連情報を同じ強調度で表示部１３に表示した後、優先度の高い関連情報を、優先度の低い関連情報よりも、強調して表示部１３に表示させる。
【００３２】
本明細書では、関連情報を表示する強調度は、ユーザに対して視覚的に認識の相違をもたらすような表示の状態を意味する。
【００３３】
次に、上述した端末１０の動作について、図４に示すフローチャートを参照しながら、以下に説明する。
【００３４】
まず、ステップＳ４０１において、処理部１１は、ユーザによって、関連情報の優先度を決定する複数の優先度決定方法の内から一の優先度決定方法が選択される。処理部１１は、ユーザにより選択された一の優先度決定方法を用いて、後述する処理において関連情報の優先度を決定する。
【００３５】
複数の優先度決定方法は、ユーザにより選択された一の関連情報の優先度を、他の関連情報の優先度よりも高く決定する方法、及び、表示部１３に表示されたマーカ（しるし）と重なる一の関連情報の優先度を、他の関連情報の優先度よりも高く決定する方法、及び、関連情報と関連付けられている優先度情報に基づいて、関連情報の優先度を決定する方法、及び、表示部の中央に表示されている一の関連情報の優先度を、他の関連情報の優先度よりも高く決定する方法である。なお、優先度決定方法は、上述した方法に制限されるものではなく、他の方法を用いて、関連情報の優先度を決定してもよい。
【００３６】
本実施形態では、ユーザにより選択された一の関連情報の優先度を、他の関連情報の優先度よりも高く決定する方法が選択された場合の端末１０の動作を説明する。他の優先度決定方法用いた場合の端末１０の動作は、後述する第２実施形態〜第４実施形態において説明される。
【００３７】
次に、ステップＳ４０３において、処理部１１は、ユーザによって、優先度の高い関連情報を、優先度の低い関連情報よりも強調して表示部１３に表示させる複数の強調表示方法の内から一の強調表示方法が選択される。処理部１１は、ユーザにより選択された一の強調表示方法を用いて、優先度の高い関連情報を表示部１３に表示させる。具体的な各強調表示方法の説明は後述する。
【００３８】
次に、ステップＳ４０５において、処理部１１は、画像取得部１５を用いて、図２に示すように、二次元コード５１が表示された背表紙を手前に向けて配置されている複数のファイル５０の画像を取得する。取得された画像には、複数のファイル５０の二次元コード５１が含まれ得る。また、取得された画像は、表示部１３に表示されると共に、記憶部１２に記憶される。
【００３９】
次に、ステップＳ４０７において、処理部１１は、記憶部１２に記憶された画像に基づいて、各二次元コード５１を解析して、識別情報を読み取る。また、二次元コード５１が、関連情報を有している場合には、識別情報と共に、関連情報が読み取られて、関連情報は、識別情報と関連づけられて関連情報表３００に登録される。
【００４０】
次に、ステップＳ４０９において、処理部１１は、撮影された画像に含まれる各二次元コード５１が表示部１３内に表示されている座標情報を求める。
【００４１】
次に、ステップＳ４１１において、処理部１１は、関連情報表３００を参照して、識別情報を介して、複数の二次元コード５１それぞれと関連づけられた関連情報を取得する。
【００４２】
次に、ステップＳ４１３において、図５（Ａ）に示すように、処理部１１は、撮影された複数の二次元コード５１の画像と共に、複数の二次元コード５１それぞれと関連づけられた関連情報を同じ強調度で表示部１３に表示する。処理部１１は、各二次元コード５１の関連情報を、関連づけられた二次元コード５１の画像と重なるように表示する。二次元コード５１の画像の位置は、上述したステップＳ４０９において取得された座標情報に基づいて決定される。
【００４３】
図５（Ａ）に示す例では、ファイルＡ〜Ｄの二次元コード５１の画像と重なるように、ファイルＡ〜Ｄの二次元コード５１と関連づけられた各関連情報の画像６０が表示される。関連情報の画像６０は、ファイルの名称、ファイルの年度及びファイルが保管される棚の名称の情報を有する。各関連情報の画像６０は、同じ大きさ、同じ形状、同じ色、同じ透明度で表示されており、同じ強調度を有する。各関連情報の画像６０は、外形が縦長の矩形形状を有し、矩形形状の内部にファイルの名称、ファイルの年度及びファイルが保管される棚の名称が表示される。なお、表示部１３に表示される関連情報の画像を、以下、単に関連情報ともいう。
【００４４】
以下、関連情報を表示部１３に表示する態様について説明する。
【００４５】
（１）関連情報が表示される大きさは、表示部１３に対して所定の割合（例えば、１／３）に決定されることが好ましい。所定の割合は、表示部１３に対して、大き過ぎず且つ小さ過ぎないようにすることが好ましい。
【００４６】
（２）関連情報が表示される位置は、関連づけられている二次元コード５１の画像内の位置に基づいて決定されることが好ましい。例えば、矩形の外形を有する二次元コードを用いる場合、二次元コードの画像の４隅の座標を求め、４隅の座標内の領域に関連情報を表示してもよい。ただし、二次元コードの画像が小さい場合には、関連情報が視認し難くなるので、関連情報の大きさの下限を事前に決定しておくことが好ましい。
【００４７】
（３）関連情報が表示される大きさは、ユーザにより変更可能であってもよい。表示部１３に表示される関連情報の大きさは、事前にデフォルト値として決定しておき、ユーザによるピンチイン、ピンチアウト等の操作に基づいて、関連情報の大きさを拡大縮小可能にしてもよい。これにより、ユーザは、所望の関連情報を読みやすい大きさに変更して視認できる。
【００４８】
更に、上記（１）〜（３）に加えて、関連情報の大きさを、関連づけられている二次元コードとの距離に応じて変化させて表示してもよい。
【００４９】
次に、ステップＳ４１５において、処理部１１は、ユーザにより選択された優先度決定方法に基づいて、関連情報の優先度を決定する。本実施形態では、上述したステップＳ４０１において、関連情報の優先度決定方法として、ユーザにより選択された一の関連情報の優先度を、他の関連情報の優先度よりも高く決定する方法が選択されている。ユーザにより選択された一の関連情報の優先度は、端末１０又はサーバに記憶されている。
【００５０】
図５（Ｂ）に示すように、処理部１１は、ユーザの指によって、何れかの関連情報６０がタップされて選択されるまで待機する。表示部１３の上には、操作部１４としてのタッチパネルが配置されており、ユーザの指により関連情報６０がタップされる操作は、操作部１４により入力されて、選択された関連情報が検知される。なお、ユーザによる関連情報６０が選択される操作は、ダブルタップ、長押し等の他の操作であってもよい。処理部１１は、ユーザにより選択された関連情報６１の優先度を、他の選択されなかった関連情報６０の優先度よりも高く決定する。
【００５１】
次に、ステップＳ４１７において、図５（Ｂ）に示すように、処理部１１は、優先度の高い関連情報６１を、優先度の低い関連情報６０よりも、強調して表示部１３に表示させる。
【００５２】
図５（Ｂ）に示す例では、ファイルＢの二次元コード５１と関連づけられた関連情報６１がユーザにより選択されて、他のファイルの二次元コードの関連情報６０よりも高い優先度が決定されている。ファイルＢの二次元コード５１と関連づけられた関連情報６１の透明度は、他の関連情報６０の透明度よりも低くなるように変化させて、強調して表示される。なお、優先度の高い関連情報を、最前面に配置されるように表示して強調してもよい。
【００５３】
上述したステップＳ４０５〜Ｓ４１７の処理は、繰り返し行うようにしてもよい。
【００５４】
次に、優先度の高い関連情報を、優先度の低い関連情報よりも、強調して表示する他の例を、図６〜図８を参照して、以下に説明する。
【００５５】
図６に示す例では、ファイルＢの二次元コード５１と関連づけられた関連情報６１の色を、他の関連情報６０の色とは異なるように変化させて強調して表示する。このように、色を変化させて、優先度の高い関連情報を強調して表示してもよい。
【００５６】
図７に示す例では、ファイルＢの二次元コード５１と関連づけられた関連情報６１の形状及び大きさを、他の関連情報６０は異なるように変化させて、強調して表示する。ファイルＢの二次元コード５１と関連づけられた関連情報６１の形状は、他の関連情報６０よりも縦長に変化し、大きさは増大するように変化している。このように、形状及び大きさを変化させて、優先度の高い関連情報を強調して表示してもよい。
【００５７】
図８に示す例では、ファイルＢの二次元コード５１と関連づけられた関連情報６１は、振動するように変化させて、他の静止している関連情報６０に対して強調して表示される。なお、優先度の高い関連情報の拡大縮小を繰り返し変化させて、強調するようにしてもよい。このように、関連情報に動きを与えて、優先度の高い関連情報を強調して表示してもよい。
【００５８】
上述した本実施形態の端末１０によれば、複数の二次元コードそれぞれと関連づけられた関連情報の内、所望の関連情報を視認し易くできる。従って、ユーザは、関心のある関連情報を視認し易くなるので、ファイルを管理する作業性を向上できる。
【００５９】
従来、複数のファイルが背表紙を手前に向けた並べて配置された状態では、ファイルの背表紙の幅が狭いので、各二次元コードと関連づけられた関連情報が、高機能携帯端末の表示部に表示された場合には、関連情報の視認が容易でない場合があった。
【００６０】
このような場合でも、本実施形態の端末１０によれば、所望の関連情報の優先度を高く決定することにより、他の優先度の低い関連情報よりも強調して表示されるので、視認が容易となる。
【００６１】
また、関連情報の優先度を決定する優先度決定方法が選択可能なので、ユーザは、ファイル管理等の目的に応じて、適切な優先度決定方法を選択することができる。
【００６２】
更に、優先度の高い関連情報を、優先度の低い関連情報よりも強調して表示部１３に表示させる強調表示方法は、ユーザによって、複数の強調表示方法の内から選択可能なので、ユーザにとって視認し易い表示方法を用いることができる。
【００６３】
次に、上述した端末１０の動作の変形例を、図９及び図１０を参照しながら以下に説明する。
【００６４】
図９は、第１実施形態の変形例１を説明する図である。
【００６５】
上述した第１実施形態では、縦長の表示部１３の長手方向と一致するように、二次元コード５１と関連づけられた関連情報が、縦書きに表示されていた。
【００６６】
変形例１の端末１０では、表示部１３の長手方向が横向きに配置された場合（重力の鉛直方向と交差する方向）、表示部１３の向きを検知して、又は、ユーザによる選択に基づいて、二次元コード５１と関連づけられた関連情報６０、６１が、横書きに表示するようになされている。表示部１３の向きを検知する方法としては、例えば、３軸加速度センサを用いることができる。
【００６７】
図１０は、第１実施形態の変形例２を説明する図である。
【００６８】
変形例２の端末１０では、画像取得部１５と、ファイル５０との距離を近づけることにより、表示部１３に表示される二次元コード５１の画像の大きさが拡大し、ファイル５０との距離を遠ざけることにより、表示部１３に表示される二次元コード５１の画像の大きさが縮小する。この時、二次元コード５１と関連づけられた関連情報６０，６１の大きさを、二次元コード５１の画像の大きさに応じて拡大又は縮小して表示してもよい。
【００６９】
例えば、処理部１１は、表示部１３に表示される二次元コード５１の画像のピクセルパーセル（１セル単位につき何ピクセルで表現されているか）に基づいて、関連情報６０，６１の大きさを決定してもよい。
【００７０】
次に、上述した端末の他の実施形態を、図１１〜図１８を参照しながら以下に説明する。他の実施形態について特に説明しない点については、上述の第１実施形態に関して詳述した説明が適宜適用される。また、同一の構成要素には同一の符号を付してある。
【００７１】
第２実施形態では、ユーザにより、関連情報の優先度を決定する優先度決定方法として、表示部１３に表示されたマーカ（しるし）と重なる一の関連情報の優先度を、他の関連情報の優先度よりも高く決定する方法が選択された場合の端末１０の動作を説明する。
【００７２】
図１１（Ａ）は、本明細書に開示するシステムの第２実施形態において、表示部に表示されたマーカと関連情報とが重なる前の表示部を示す図であり、図１１（Ｂ）は、表示部に表示されたマーカと関連情報とが重なった後の表示部を示す図である。
【００７３】
図１１（Ａ）に示すように、表示部１３には、マーカ６２が、取得された画像と共に表示される。表示部１３に表示されるマーカ６２の位置は、ユーザによるマーカ６２の操作により移動可能である。
【００７４】
図１１（Ａ）では、マーカ６２は、関連情報６０の何れとも重なっていないので、優先度の高い関連情報は選択されていない。
【００７５】
図１１（Ｂ）では、マーカ６２が、ファイルＢの二次元コード５１と関連づけられた関連情報６１と重なるように配置されて、ファイルＢの二次元コード５１と関連づけられた関連情報６１の優先度が、他の関連情報６０よりも高く決定される。
【００７６】
処理部１１は、ファイルＢの二次元コード５１と関連づけられた関連情報６１を、優先度の低い関連情報６０よりも、強調して表示部１３に表示させる。
【００７７】
上述した本実施形態の端末１０によれば、第１実施形態の端末１０と同様の効果が奏される。
【００７８】
次に、第３実施形態の端末１０を備えるシステム１について、以下に説明する。
【００７９】
システム１は、ユーザが所望のファイルを検索することを支援するサービスを提供する。
【００８０】
図１２は、本明細書に開示するシステムの第３実施形態の端末１０を備えるシステムを示す図である。
【００８１】
システム１は、端末１０と、端末１０とネットワーク３０を介して通信可能なサーバ２０を備える。サーバ２０は、関連情報表１３００（図１３参照）を記憶するデータベース２１を有する。
【００８２】
処理部１１は、通信部１６を用いて、ネットワーク３０を介して、無線又は有線によりサーバ２０と通信する。
【００８３】
また、端末１０は、ユーザにより、関連情報の優先度を決定する優先度決定方法として、データベース２１に記憶されている関連情報表１３００（図１３参照）を参照して、関連情報と関連付けられている優先度に基づいて、関連情報の優先度を決定する方法が選択されている。
【００８４】
システム１の動作を、以下に説明する。
【００８５】
図１２に示すように、ユーザは、ファイルＤを検索するために、名称に「Ｄ」が含まれるファイルを検索することを、サーバ２０に送信する。
【００８６】
サーバ２０は、データベース２１に記憶されている関連情報表１３００（図１３参照）を参照して、ファイルＤの二次元コード５１を識別する識別情報の関連情報と関連づけられている優先度を、「高」に設定する。他の関連情報の優先度は、「低」に設定される。
【００８７】
図１３、データベース２１に記憶されている関連情報表を示す図である。
【００８８】
関連情報表１３００は、二次元コード５１の識別情報を登録する識別情報欄１３０１と、識別情報と関連づけられた関連情報を登録する関連情報欄１３０２と、関連情報の優先度を示す優先度欄１３０３を有する。優先度欄１３０３には、各関連情報の優先度が、「高」又は「低」として登録される。「高」は、高い優先度の関連情報を示し、「低」は、低い優先度の関連情報を示す。
【００８９】
まず、ユーザは、図１４に示すように、端末１０の画像取得部１５を用いて、二次元コード５１が表示された背表紙を手前に向けて配置されている複数のファイル５０の画像を取得する。取得された画像には、ファイルＡの二次元コード５１及びファイルＢの二次元コード５１が表示されている。
【００９０】
次に、処理部１１は、ネットワーク３０を介して、サーバ２０と通信することにより、データベース２１に記憶される関連情報表１３００を参照して、ファイルＡの二次元コード５１及びファイルＢの二次元コード５１それぞれと関連づけられた関連情報を取得する。
【００９１】
次に、図１４に示すように、処理部１１は、ファイルＡの二次元コード５１及びファイルＢの二次元コード５１と関連づけられた関連情報を同じ強調度で表示部１３に表示する。
【００９２】
次に、処理部１１は、ユーザにより、表示部１３に表示された強調表示ボタン６３が操作されると、ネットワーク３０を介して、サーバ２０と通信することにより、関連情報表１３００を参照して、関連情報の優先度を決定する。処理部１１は、強調表示ボタン６３がユーザに操作された後、強調表示ボタン６３を表示部１３から消去する。なお、処理部１１は、ファイルＡの二次元コード５１及びファイルＢの二次元コード５１と関連づけられた関連情報を同じ強調度で表示部１３に表示し所定の時間が経過した後、ネットワーク３０を介して、サーバ２０と通信することにより、関連情報表１３００を参照して、関連情報の優先度を決定してもよい。
【００９３】
図１５に示すように、ファイルＡの二次元コード５１及びファイルＢの二次元コード５１と関連づけられた関連情報は共に「低」なので、ファイルＡの二次元コード５１及びファイルＢの二次元コード５１と関連づけられた関連情報は、同じ強調度のまま変化せずに表示部１３に表示される。
【００９４】
次に、図１６に示すように、ユーザは、端末１０の画像取得部１５を走査して、他の複数のファイル５０の背表紙の画像を取得する。処理部１１は、画像取得部１５を用いて、二次元コード５１が表示された背表紙を手前に向けて配置されている複数のファイル５０の画像を取得する。取得された画像には、ファイルＤの二次元コード５１、ファイルＥの二次元コード５１及びファイルＦの二次元コード５１が表示されている。
【００９５】
次に、処理部１１は、ネットワーク３０を介して、サーバ２０と通信することにより、関連情報表１３００を参照して、ファイルＤの二次元コード５１、ファイルＥの二次元コード５１及びファイルＦの二次元コード５１それぞれと関連づけられた関連情報を取得する。
【００９６】
次に、図１６に示すように、処理部１１は、ファイルＤの二次元コード５１、ファイルＥの二次元コード５１及びファイルＦの二次元コード５１と関連づけられた関連情報を同じ強調度で表示部１３に表示する。
【００９７】
次に、処理部１１は、ユーザにより、表示部１３に表示された強調表示ボタン６３が操作されると、ネットワーク３０を介して、サーバ２０と通信することにより、関連情報表１３００を参照して、関連情報の優先度を決定する。ファイルＤの二次元コード５１と関連づけられた関連情報の優先度は「高」であり、他のファイルＥの二次元コード５１及びファイルＦの二次元コード５１と関連づけられた関連情報の優先度は「低」である。処理部１１は、強調表示ボタン６３がユーザに操作された後、強調表示ボタン６３を表示部１３から消去する。
【００９８】
次に、図１７に示すように、処理部１１は、ファイルＤの二次元コード５１と関連づけられた関連情報６１の透明度を、他の関連情報６０の透明度よりも低くなるように変化させて、強調して表示する。
【００９９】
上述した説明では、関連情報の優先度を決定する優先度決定方法は１つだけ選択されていたが、ユーザにより選択された複数の優先度決定方法を用いて、関連情報の優先度を決定してもよい。
【０１００】
例えば、端末１０は、ユーザにより、優先度決定方法として、関連情報表１３００を参照して、関連情報と関連付けられている優先度に基づいて、関連情報の優先度を決定する方法と共に、表示部１３に表示されたマーカ（しるし）と重なる一の関連情報の優先度を、他の関連情報の優先度よりも高く決定する方法が選択され得る。
【０１０１】
図１８に示すように、マーカ６２が、ファイルＦの二次元コード５１と関連づけられた関連情報６１と重なるように配置されると、ファイルＦの二次元コード５１と関連づけられた関連情報６１の優先度も、ファイルＤの二次元コード５１と関連づけられた関連情報６１と共に、他の関連情報６０よりも高く決定される。
【０１０２】
処理部１１は、ファイルＤの二次元コード５１と関連づけられた関連情報６１の透明度を、他の関連情報６０の透明度よりも低くなるように変化させて、強調して表示し、ファイルＦの二次元コード５１と関連づけられた関連情報６１の形状及び大きさを、他の関連情報６０は異なるように変化させて、優先度の低い関連情報６０よりも、強調して表示部１３に表示させる。
【０１０３】
上述した本実施形態の端末１０を備えたシステム１によれば、ユーザは、所望するファイルを迅速に見つけることができる。また、上述した第１実施形態の端末と同様の効果が奏される。
【０１０４】
次に、上述した第３実施形態の端末１０を備えたシステム１の変形例を、図１９及び図２０を参照しながら、以下に説明する。
【０１０５】
ユーザは、ファイルＢ、ファイルＣ及びファイルＥを検索するために、名称に「Ｂ」、「Ｃ」及び「Ｅ」が含まれるファイルを検索することを、サーバ２０に送信する。
【０１０６】
サーバ２０は、データベース２１に記憶されている関連情報表１９００を参照して、ファイルＢ、ファイルＣ及びファイルＥの二次元コード５１を識別する識別情報の関連情報と関連づけられている優先度を、「高」に設定する。
【０１０７】
図１９は、データベース２１に記憶されている関連情報表を示す図である。
【０１０８】
関連情報表１９００は、二次元コード５１の識別情報を登録する識別情報欄１９０１と、識別情報と関連づけられた関連情報を登録する関連情報欄１９０２と、関連情報の優先度を示す優先度欄１９０３を有する。ファイルＢ、ファイルＣ及びファイルＥの二次元コード５１を識別する識別情報の関連情報と関連づけられている優先度は、「高」に設定され、他の関連情報の優先度は、「低」に設定される。このように、関連情報表１９００において、複数の関連情報の優先度が、他の関連情報よりも高く決定されている。
【０１０９】
まず、ユーザは、図２０（Ａ）に示すように、端末１０の画像取得部１５を用いて、二次元コード５１が表示された背表紙を手前に向けて配置されている複数のファイル５０の画像を取得する。取得された画像には、ファイルＡ〜Ｄの二次元コード５１が表示されている。
【０１１０】
次に、処理部１１は、ネットワーク３０を介して、サーバ２０と通信することにより、データベース２１に記憶される関連情報表１９００を参照して、ファイルＡ〜Ｄの二次元コード５１それぞれと関連づけられた関連情報を取得する。
【０１１１】
次に、処理部１１は、ファイルＡ〜Ｄの二次元コード５１と関連づけられた関連情報それぞれを同じ強調度で表示部１３に表示する。
【０１１２】
次に、処理部１１は、ユーザにより、表示部１３に表示された強調表示ボタン６３が操作されると、ネットワーク３０を介して、サーバ２０と通信することにより、関連情報表１９００を参照して、関連情報の優先度を決定する。ファイルＢ及びファイルＣの二次元コード５１と関連づけられた関連情報の優先度は「高」であり、他のファイルＡ及びファイルＤの二次元コード５１と関連づけられた関連情報の優先度は「低」である。処理部１１は、強調表示ボタン６３がユーザに操作された後、強調表示ボタン６３を表示部１３から消去する。
【０１１３】
次に、図２０（Ｂ）に示すように、処理部１１は、ファイルＢ及びファイルＣの二次元コード５１と関連づけられた関連情報６１の透明度を、他の関連情報６０の透明度よりも低くなるように変化させて、強調して表示する。
【０１１４】
本変型例によれば、ユーザは、複数の所望のファイルを迅速に見つけることができる。
【０１１５】
次に、第４実施形態の端末１０について、以下に説明する。
【０１１６】
第４実施形態では、ユーザにより、関連情報の優先度を決定する優先度決定方法として、表示部１３の中央に表示されている一の関連情報の優先度を、他の関連情報の優先度よりも高く決定する方法が選択された場合の端末１０の動作を説明する。
【０１１７】
図２１は、明細書に開示する端末の第４実施形態において、優先度の高い関連情報が、優先度の低い関連情報よりも強調して表示部に表示される様子を説明する図ある。
【０１１８】
図２１に示すように、表示部１３の中央の位置Ｃと重なる位置に表示される、ファイルＢの二次元コード５１と関連づけられた関連情報６１の優先度が、他の関連情報６０よりも高く決定される。
【０１１９】
処理部１１は、ファイルＢの二次元コード５１と関連づけられた関連情報６１を、優先度の低い関連情報６０よりも、強調して表示部１３に表示させる。
【０１２０】
上述した本実施形態の端末１０によれば、第１実施形態の端末１０と同様の効果が奏される。
【０１２１】
本発明では、上述した実施形態の情報コードに関連づけられた情報を強調して表示する端末、方法及びプログラムは、本発明の趣旨を逸脱しない限り適宜変更が可能である。また、一の実施形態が有する構成要件は、他の実施形態にも適宜適用することができる。
【０１２２】
例えば、上述した各実施形態では、情報コードとして二次元コードが用いられていたが、情報コードとして、一次元コード、カラー印刷を用いた自動認識コード等の他の情報コードを用いてもよい。
【０１２３】
また、上述した第３実施形態では、関連情報表が、データベースに記憶されていたが、関連情報表は、端末の記憶部に記憶されていてもよい。そして、ユーザは、複数のファイルの背表紙の画像を走査しながら、ファイルＤを検索するために、端末を操作して、関連情報表を参照して、ファイルＤの二次元コードを識別する識別情報の関連情報と関連づけられている優先度を、「高」に設定することにより、ファイルＤの二次元コードと関連づけられた関連情報を、他の関連情報よりも強調して表示するようにしてもよい。
【符号の説明】
【０１２４】
１    システム
１０    端末
１１    処理部
１２    記憶部
１３    表示部
１４    操作部
１５    画像取得部
１６    通信部
２０    サーバ
２１    データベース
３０    ネットワーク
５０    ファイル
５１    二次元コード（情報コード）
６０    関連情報
６１    強調表示された関連情報
６２    マーカ
６３    強調表示ボタン
３００    関連情報表
３０１    識別情報欄
３０２    関連情報欄
１３００    関連情報表
１３０１    識別情報欄
１３０２    関連情報欄
１３０３    優先度欄
１６００    関連情報表
１６０１    識別情報欄
１６０２    関連情報欄
１６０３    優先度欄
Ｃ    表示部の中央の位置
【図１】
2018116351.tif 000003
【図２】
2018116351.tif 000004
【図３】
2018116351.tif 000005
【図４】
2018116351.tif 000006
【図５】
2018116351.tif 000007
【図６】
2018116351.tif 000008
【図７】
2018116351.tif 000009
【図８】
2018116351.tif 000010
【図９】
2018116351.tif 000011
【図１０】
2018116351.tif 000012
【図１１】
2018116351.tif 000013
【図１２】
2018116351.tif 000014
【図１３】
2018116351.tif 000015
【図１４】
2018116351.tif 000016
【図１５】
2018116351.tif 000017
【図１６】
2018116351.tif 000018
【図１７】
2018116351.tif 000019
【図１８】
2018116351.tif 000020
【図１９】
2018116351.tif 000021
【図２０】
2018116351.tif 000022
【図２１】
2018116351.tif 000023